【手続補正書】
【提出日】平成28年3月17日(2016.3.17)
【手続補正１】
【補正対象書類名】明細書
【補正対象項目名】００２４
【補正方法】変更
【補正の内容】
【００２４】
前記高位左軸受孔１１ａには、左アッパーアーム１０ａの基端部に一体に設けた支軸１２ａが嵌挿されて左アッパーアーム１０ａが回動自在に配備される。前記高位右軸受孔１１ｂには、右アッパーアーム１０ｂの基端部に一体に設けた支軸１２ｂが嵌挿されて右アッパーアーム１０ｂが回動自在に配備される。
【手続補正２】
【補正対象書類名】明細書
【補正対象項目名】００２８
【補正方法】変更
【補正の内容】
【００２８】
前記第１段ステップ板６の基端部の第１左基端軸７ａと先端部寄り中間部の第１左中間支軸１５ａの間の長さと、前記左アッパーアーム１０ａの基端部の支軸１２ａと先端部の第１左上端支軸１４ａの間の長さは同一である。また、第１段ステップ板６の基端部の第１左基端軸７ａと左アッパーアーム１０ａの基端部の支軸１２ａとの上下間の長さは、第１段ステップ板６の先端部寄り中間部の第１左中間支軸１５ａと左アッパーアーム１０ａの先端部の第１左上端支軸１４ａの上下間の長さと同一に構成されるから、前記第１左連絡アーム１３ａと左アッパーアーム１０ａと第１段ステップ板６と左端部軸受支板４ａとにより第１段左平行辺形リンク１８ａが構成される。
【手続補正３】
【補正対象書類名】明細書
【補正対象項目名】００２９
【補正方法】変更
【補正の内容】
【００２９】
前記第１段ステップ板６の基端部の第１右基端軸７ｂと先端部寄り中間部の第１右中間支軸１５ｂの間の長さと、前記右アッパーアーム１０ｂの基端部の支軸１２ｂと先端部の第１右上端支軸１４ｂの間の長さは同一である。また、第１段ステップ板６の基端部の第１右基端軸７ｂと右アッパーアーム１０ｂの基端部の支軸１２ｂとの上下間の長さは、第１段ステップ板６の先端部寄り中間部の第１右中間支軸１５ｂと右アッパーアーム１０ｂの先端部の第１右上端支軸１４ｂの上下間の長さと同一に構成されるから、前記第１右連絡アーム１３ｂと右アッパーアーム１０ｂと第１段ステップ板６と右端部軸受支板４ｂとにより第１段右平行四辺形リンク１８ｂが構成される。
【手続補正４】
【補正対象書類名】明細書
【補正対象項目名】００３０
【補正方法】変更
【補正の内容】
【００３０】
前記第１段ステップ板６の左外側板６ａは、第１段ステップ板６の前縁より前方へ、所要長さ延設され、その先端部の左外側面に、前記第１左中間支軸１５ａより前方へ所要間隔存して配備される第２左上端支軸１９ａにより第２左連絡アーム２０ａの上端部が軸支され、該第２左連絡アーム２０ａは下端部が、前記第１左中間支軸１５ａと第２左基端軸１７ａと同じ間隔をもち、かつ前記第１左中間支軸１５ａと第２左上端支軸１９ａとの間隔と同じ間隔をもって第２左基端軸１７ａより前方の第２段ステップ板１６の中間部の左外側面に突出して配備される第２左前側支軸２１ａにより第２段ステップ板１６の中間部の左外側面が連結される。
【手続補正５】
【補正対象書類名】明細書
【補正対象項目名】００３１
【補正方法】変更
【補正の内容】
【００３１】
前記第１段ステップ板６の右外側板６ｂは、第１段ステップ板６の前縁より前方へ、所要長さ延設され、その先端部の右外側面に、前記第１右中間支軸１５ｂと第２右上端支軸１９ｂとの間隔が前記左外側板６ａの前記第１左中間支軸１５ａと第２左上端支軸１９ａと同じ間隔をもって配備され、第２右上端支軸１９ｂにより第２右連絡アーム２０ｂの上端部が軸支され、第２右連絡アーム２０ｂの下端部が、前記第１左中間支軸１５ａと第２左基端軸１７ａと同じ間隔をもち、かつ前記第１左中間支軸１５ａと第２左上端支軸１９ａと同じ間隔をもって第２段ステップ板１６の中間部の右外側面に突出して配備される第２右前側支軸２１ｂにより第２段ステップ板１６の中間部の右外側面が連結される。
【手続補正６】
【補正対象書類名】明細書
【補正対象項目名】００３２
【補正方法】変更
【補正の内容】
【００３２】
前記第１左中間支軸１５ａ及び第２左上端支軸１９ａ間の左外側板６ａと、第２左基端軸１７ａ及び第２左前側支軸２１ａ間の第２段ステップ板１６の左外側部１６ａと、第１左中間支軸１５ａ及び第２左基端軸１７ａ間の第１左連絡アーム１３ａと、第２左上端支軸１９ａ及び第２左前側支軸２１ａ間の第２左連絡アーム２０ａにより第２段左四辺リンク２２ａが構成される。
【手続補正７】
【補正対象書類名】明細書
【補正対象項目名】００３３
【補正方法】変更
【補正の内容】
【００３３】
前記第１右中間支軸１５ｂ及び第２右上端支軸１９ｂ間の右外側板６ｂと、第２右基端軸１７ｂ及び第２右前側支軸２１ｂ間の第２段ステップ板１６の右外側部１６ｂと、第１右中間支軸１５ｂ及び第２右基端軸１７ｂ間の第１右連絡アーム１３ｂと、第２右上端支軸１９ｂ及び第２右前側支軸２１ｂ間の第２右連絡アーム２０ｂにより第２段右四辺リンク２２ｂが構成される。
【手続補正８】
【補正対象書類名】明細書
【補正対象項目名】００３６
【補正方法】変更
【補正の内容】
【００３６】
ギヤボックス９には、モーターギヤ２５を備えるモーター２６を搭載するモーターブラケット２７が上下に昇降自在に配備され、そのモーターギヤ２５に噛合う第１減速歯車２８から中継歯車２９、第２減速歯車３０及び第３減速歯車３１よりなる減速機構３２を経て前記第３減速歯車３１の小径歯車部である出力ピニオン２４を回転し、前記左アッパーアーム１０ａの扇型の歯車部２３に伝動している。
【手続補正９】
【補正対象書類名】明細書
【補正対象項目名】００５２
【補正方法】変更
【補正の内容】
【００５２】
１  車両用乗降補助二段ステップ装置
２  ベースフレーム
２ａ  底板
３  凹陥設置部
３ａ  設置面
４ａ  左端部軸受支板
４ｂ  右端部軸受支板
５ａ  左軸受孔
５ｂ  右軸受孔
６  第１段ステップ板
６ａ  左外側板
６ｂ  右外側版
７ａ  第１左基端軸
７ｂ  第１右基端軸
８  軸受壁板
９  ギヤボックス
１０ａ  左アッパーアーム
１０ｂ  右アッパーアーム
１１ａ  高位左軸受孔
１１ｂ  高位右軸受孔
１２ａ  支軸
１２ｂ  支軸
１３ａ  第１左連絡アーム
１３ｂ  第１右連絡アーム
１４ａ  第１左上端支軸
１４ｂ  第１右上端支軸
１５ａ  第１左中間支軸
１５ｂ  第１右中間支軸
１６  第２段ステップ板
１６ａ  左外側部
１６ｂ  右外側部
１７ａ  第２左基端軸
１７ｂ  第２右基端軸
１８ａ  第１段左四辺形リンク
１８ｂ  第１段右四辺形リンク
１９ａ  第２左上端支軸
１９ｂ  第２右上端支軸
２０ａ  第２左連絡アーム
２０ｂ  第２右連絡アーム
２１ａ  第２左前側支軸
２１ｂ  第２右前側支軸
２２ａ  第２段左四辺形リンク
２２ｂ  第２段右四辺形リンク
２３  扇型の歯車部
２４  出力ピニオン
２５  モーターギヤ
２６  モーター
２７  モーターブラケット
２８  第１減速歯車
２８ａ  大径歯車部
２８ｂ  小径歯車部
２９  中継歯車
３０  第２減速歯車
３０ａ  大径歯車部
３０ｂ  小径歯車部
３１  第３減速歯車
３１ａ  大径歯車部
３２  減速機構
３３  ノブ
３４  ネジ軸
３５ａ  ガイド孔
３５ｂ  ガイド孔
３６ａ  ガイド軸
３６ｂ  ガイド軸
３７ａ  起立操作子
３７ｂ  伏倒操作子
３８ａ  起立検出リミットスイッチ
【手続補正１０】
【補正対象書類名】図面
【補正対象項目名】図２
【補正方法】変更
【補正の内容】
【図２】
2014201264.tif 000001
【手続補正１１】
【補正対象書類名】図面
【補正対象項目名】図３
【補正方法】変更
【補正の内容】
【図３】
2014201264.tif 000002
【手続補正１２】
【補正対象書類名】図面
【補正対象項目名】図４
【補正方法】変更
【補正の内容】
【図４】
2014201264.tif 000003